(57)【要約】【課題】開閉扉を通過し入室する利用者に対し、負荷機器により快適さを与えることができる制御システムを提供すること。【解決手段】処理装置１３は、第１の検知手段４２からの開閉扉５の動きの検知信号を受信したとき、負荷機器６〜９，１２を暫定利用モードに設定して、暫定利用モードの設定後、タイマで計時された所定長さの在室確認時間の経過までの間に、第２の検知手段４０，４１からの利用者の存在状態の検知信号を受信した場合に負荷機器６〜９，１２を利用モードに設定し、または第２の検知手段４０，４１からの利用者の不在状態の検知信号を継続して受信した場合に負荷機器６〜９，１２を非利用モードに設定する。【選択図】図１
2011109782.tif 000002
【特許請求の範囲】
【請求項１】
適宜設定されるモードに基づいて各居室毎の負荷機器を制御可能な制御システムであって、
居室に入退室するための開閉扉の動きを検知する第１の検知手段と、前記居室内における利用者の存在若しくは不在状態を検知する第２の検知手段と、前記各検知手段からの検知信号を受信して、該検知信号に基づき前記負荷機器に対し居室の利用モード、暫定利用モード、若しくは非利用モードの何れかのモードに設定する処理装置と、該処理装置に接続されたタイマと、から構成されており、
前記処理装置は、前記第１の検知手段からの前記開閉扉の動きの検知信号を受信したとき、前記負荷機器を暫定利用モードに設定して、該暫定利用モードの設定後、
前記タイマで計時された所定長さの在室確認時間の経過までの間に、前記第２の検知手段からの利用者の存在状態の検知信号を受信した場合に前記負荷機器を利用モードに設定し、または前記第２の検知手段からの利用者の不在状態の検知信号を継続して受信した場合に前記負荷機器を非利用モードに設定するように成っていることを特徴とする制御システム。
【請求項２】
前記処理装置は、前記第１の検知手段からの前記開閉扉の開状態の検知信号を受信したとき、前記負荷機器を暫定利用モードに設定して、該暫定利用モードの設定後、
前記タイマで計時された所定長さの在室確認時間の経過までの間に、前記第２の検知手段からの利用者の存在状態の検知信号を受信した場合に前記負荷機器を利用モードに設定し、または前記第２の検知手段からの利用者の不在状態の検知信号を継続して受信した場合に前記負荷機器を非利用モードに設定するように成っていることを特徴とする請求項１に記載の制御システム。
【請求項３】
前記処理装置は、前記第１の検知手段からの前記開閉扉の開状態の検知信号を受信したとき、前記負荷機器を暫定利用モードに設定して、該暫定利用モードの設定後、
前記第１の検知手段からの前記開閉扉の閉状態の検知信号を受信した場合、前記タイマで計時された所定長さの在室確認時間の経過までの間に、前記第２の検知手段からの利用者の存在状態の検知信号を受信した場合に前記負荷機器を利用モードに設定し、または前記第２の検知手段からの利用者の不在状態の検知信号を継続して受信した場合に前記負荷機器を非利用モードに設定し、
前記第１の検知手段からの前記開閉扉の閉状態の検知信号を受信しない場合、前記タイマの計時よりも優先して、前記負荷機器を利用モードに設定することを特徴とする請求項１に記載の制御システム。
【請求項４】
前記処理装置は、前記暫定利用モードの設定後、
該暫定利用モードの設定後から前記タイマで計時された所定長さの初期時間の経過までの間、前記第２の検知手段からの検知信号を無視し、前記初期時間の経過後から前記在室確認時間の経過までの間に、前記第２の検知手段からの利用者の不在状態の検知信号を継続して受信した場合に前記負荷機器を非利用モードに設定し、前記第２の検知手段からの利用者の存在状態の検知信号を受信した場合に前記負荷機器を利用モードに設定するように成っていることを特徴とする請求項１ないし３のいずれかに記載の制御システム。
【請求項５】
前記第２の検知手段は、前記居室内における少なくとも主室と浴室とに設けられていることを特徴とする請求項１ないし４のいずれかに記載の制御システム。
【請求項６】
前記第２の検知手段は、前記居室内における前記開閉扉の近傍を除く所定箇所に設けられていることを特徴とする請求項１ないし５のいずれかに記載の制御システム。
【請求項７】
適宜設定されるモードに基づいて各居室毎の負荷機器を制御可能な制御システムであって、
居室外における該居室に入退室するための開閉扉近傍の利用者の存在若しくは不在状態を検知する第１の検知手段と、前記居室内における利用者の存在若しくは不在状態を検知する第２の検知手段と、前記各検知手段からの検知信号を受信して、該検知信号に基づき前記負荷機器に対し居室の利用モード、暫定利用モード、若しくは非利用モードの何れかのモードに設定する処理装置と、該処理装置に接続されたタイマと、から構成されており、
前記処理装置は、前記第１の検知手段からの利用者の存在状態の検知信号を受信したとき、前記負荷機器を暫定利用モードに設定して、該暫定利用モードの設定後、
前記タイマで計時された所定長さの在室確認時間の経過までの間に、前記第２の検知手段からの利用者の存在状態の検知信号を受信した場合に前記負荷機器を利用モードに設定し、または前記第２の検知手段からの利用者の不在状態の検知信号を継続して受信した場合に前記負荷機器を非利用モードに設定するように成っていることを特徴とする制御システム。
【請求項８】
前記処理装置は、前記暫定利用モードの設定後、
該暫定利用モードの設定後から前記タイマで計時された所定長さの初期時間の経過までの間、前記第２の検知手段からの検知信号を無視し、前記初期時間の経過後から前記在室確認時間の経過までの間に、前記第２の検知手段からの利用者の不在状態の検知信号を継続して受信した場合に前記負荷機器を非利用モードに設定し、前記第２の検知手段からの利用者の存在状態の検知信号を受信した場合に前記負荷機器を利用モードに設定するように成っていることを特徴とする請求項７に記載の制御システム。
【請求項９】
前記第２の検知手段は、前記居室内における少なくとも主室と浴室とに設けられていることを特徴とする請求項７または８に記載の制御システム。
【発明の詳細な説明】
【技術分野】
【０００１】
本発明は、適宜設定されるモードに基づいて各居室毎の負荷機器を制御可能な制御システムに関する。
【背景技術】
【０００２】
従来の制御システムは、居室内に入退室するための開閉扉キーのキーユニットへの挿し抜き状態を検出することにより、居室内における利用者の在室若しくは不在状態を判断して、この判断に基づいて負荷機器を所定モードに設定している（例えば、特許文献１参照）。
【先行技術文献】
【特許文献】
【０００３】
【特許文献１】特開２００９−７４７４２号公報（第１０頁、第６図）
【発明の概要】
【発明が解決しようとする課題】
【０００４】
しかしながら、特許文献１にあっては、利用者が開閉扉を通過し居室内に入室しても、開閉扉キーを居室内に設けられたキーユニットから挿し入れるまでの間は、依然として不在状態と判断されてしまい、負荷機器が在室モードに切り替わらず、負荷機器である照明が消灯したままなど、利用者に快適さを与えることができない虞がある。
【０００５】
本発明は、このような問題点に着目してなされたもので、開閉扉を通過し入室する利用者に対し、負荷機器により快適さを与えることができる制御システムを提供することを目的とする。
【課題を解決するための手段】
【０００６】
前記課題を解決するために、本発明の制御システムは、
適宜設定されるモードに基づいて各居室毎の負荷機器を制御可能な制御システムであって、
居室に入退室するための開閉扉の動きを検知する第１の検知手段と、前記居室内における利用者の存在若しくは不在状態を検知する第２の検知手段と、前記各検知手段からの検知信号を受信して、該検知信号に基づき前記負荷機器に対し居室の利用モード、暫定利用モード、若しくは非利用モードの何れかのモードに設定する処理装置と、該処理装置に接続されたタイマと、から構成されており、
前記処理装置は、前記第１の検知手段からの前記開閉扉の動きの検知信号を受信したとき、前記負荷機器を暫定利用モードに設定して、該暫定利用モードの設定後、
前記タイマで計時された所定長さの在室確認時間の経過までの間に、前記第２の検知手段からの利用者の存在状態の検知信号を受信した場合に前記負荷機器を利用モードに設定し、または前記第２の検知手段からの利用者の不在状態の検知信号を継続して受信した場合に前記負荷機器を非利用モードに設定するように成っていることを特徴としている。
この特徴によれば、処理装置が、入室時の開閉扉の動きを検知した第1の検知手段の検知信号に基づき、負荷機器を暫定利用モードに設定するため、開閉扉を通過し入室する利用者に対し負荷機器により快適さを与えることができるばかりか、開閉扉の動きの後において、第２の検知手段の検知信号に基づき、居室内に利用者が存在する場合は負荷機器を利用モードに設定し、若しくは不在の場合は非利用モードに設定するため、扉キーによる施解錠等の別段の動作に基づくモード設定を不要にできる。
【０００７】
本発明の制御システムは、
前記処理装置は、前記第１の検知手段からの前記開閉扉の開状態の検知信号を受信したとき、前記負荷機器を暫定利用モードに設定して、該暫定利用モードの設定後、
前記タイマで計時された所定長さの在室確認時間の経過までの間に、前記第２の検知手段からの利用者の存在状態の検知信号を受信した場合に前記負荷機器を利用モードに設定し、または前記第２の検知手段からの利用者の不在状態の検知信号を継続して受信した場合に前記負荷機器を非利用モードに設定するように成っていることを特徴としている。
この特徴によれば、処理装置が、居室への入退室時に必然的に生じる開閉扉の開状態を検知信号として受信したとき、負荷機器を暫定利用モードに設定するため、暫定利用モード設定の確実性を高めることができる。
【０００８】
本発明の制御システムは、
前記処理装置は、前記第１の検知手段からの前記開閉扉の開状態の検知信号を受信したとき、前記負荷機器を暫定利用モードに設定して、該暫定利用モードの設定後、
前記第１の検知手段からの前記開閉扉の閉状態の検知信号を受信した場合、前記タイマで計時された所定長さの在室確認時間の経過までの間に、前記第２の検知手段からの利用者の存在状態の検知信号を受信した場合に前記負荷機器を利用モードに設定し、または前記第２の検知手段からの利用者の不在状態の検知信号を継続して受信した場合に前記負荷機器を非利用モードに設定し、
前記第１の検知手段からの前記開閉扉の閉状態の検知信号を受信しない場合、前記タイマの計時よりも優先して、前記負荷機器を利用モードに設定することを特徴としている。
この特徴によれば、処理装置が、開閉扉が継続して開状態であることを条件に、利用モードに設定するため、開閉扉を開状態にした状態のまま居室を利用する場合にも利用者に快適さを与えることができる。
【０００９】
本発明の制御システムは、
前記処理装置は、前記暫定利用モードの設定後、
該暫定利用モードの設定後から前記タイマで計時された所定長さの初期時間の経過までの間、前記第２の検知手段からの検知信号を無視し、前記初期時間の経過後から前記在室確認時間の経過までの間に、前記第２の検知手段からの利用者の不在状態の検知信号を継続して受信した場合に前記負荷機器を非利用モードに設定し、前記第２の検知手段からの利用者の存在状態の検知信号を受信した場合に前記負荷機器を利用モードに設定するように成っていることを特徴としている。
この特徴によれば、処理装置が、暫定利用モードにおいて初期時間の経過までの間、検知信号を無視し、経過後から在室確認時間の経過まで居室内が不在状態であることを更に条件として、負荷機器を非利用モードに設定できるため、第２の検出手段が、退室の際に開閉扉を開操作した直後の未だ居室内の利用者を、利用者の存在状態として検知してしまう誤動作の虞を回避できる。
【００１０】
本発明の制御システムは、
前記第２の検知手段は、前記居室内における少なくとも主室と浴室とに設けられていることを特徴としている。
この特徴によれば、少なくとも主室と浴室とに設けられた第２の検知手段により、在室確認時間の間、居室内の主室若しくは浴室における利用者の存在若しくは不在状態を検知できる。
【００１１】
本発明の制御システムは、
前記第２の検知手段は、前記居室内における前記開閉扉の近傍を除く所定箇所に設けられていることを特徴としている。
この特徴によれば、第２の検出手段が、退室の際に開閉扉を開操作した直後の未だ居室内の利用者を、利用者の存在状態として検知してしまう誤動作の虞を回避できる。
【００１２】
本発明の制御システムは、
適宜設定されるモードに基づいて各居室毎の負荷機器を制御可能な制御システムであって、
居室外における該居室に入退室するための開閉扉近傍の利用者の存在若しくは不在状態を検知する第１の検知手段と、前記居室内における利用者の存在若しくは不在状態を検知する第２の検知手段と、前記各検知手段からの検知信号を受信して、該検知信号に基づき前記負荷機器に対し居室の利用モード、暫定利用モード、若しくは非利用モードの何れかのモードに設定する処理装置と、該処理装置に接続されたタイマと、から構成されており、
前記処理装置は、前記第１の検知手段からの利用者の存在状態の検知信号を受信したとき、前記負荷機器を暫定利用モードに設定して、該暫定利用モードの設定後、
前記タイマで計時された所定長さの在室確認時間の経過までの間に、前記第２の検知手段からの利用者の存在状態の検知信号を受信した場合に前記負荷機器を利用モードに設定し、または前記第２の検知手段からの利用者の不在状態の検知信号を継続して受信した場合に前記負荷機器を非利用モードに設定するように成っていることを特徴としている。
この特徴によれば、処理装置が、入室時の居室外における開閉扉近傍の利用者の存在を検知した第1の検知手段の検知信号に基づき、負荷機器を暫定利用モードに設定するため、開閉扉を通過し入室する利用者に対し負荷機器により快適さを与えることができるばかりか、居室外における開閉扉近傍の利用者の存在を検知した後において、第２の検知手段の検知信号に基づき、居室内に利用者が存在する場合は負荷機器を利用モードに設定し、若しくは不在の場合は非利用モードに設定するため、扉キーによる施解錠等の別段の動作に基づくモード設定を不要にできる。
【００１３】
本発明の制御システムは、
前記処理装置は、前記暫定利用モードの設定後、
該暫定利用モードの設定後から前記タイマで計時された所定長さの初期時間の経過までの間、前記第２の検知手段からの検知信号を無視し、前記初期時間の経過後から前記在室確認時間の経過までの間に、前記第２の検知手段からの利用者の不在状態の検知信号を継続して受信した場合に前記負荷機器を非利用モードに設定し、前記第２の検知手段からの利用者の存在状態の検知信号を受信した場合に前記負荷機器を利用モードに設定するように成っていることを特徴としている。
この特徴によれば、処理装置が、暫定利用モードにおいて初期時間の経過までの間、検知信号を無視し、経過後から在室確認時間の経過まで居室内が不在状態であることを更に条件として、負荷機器を非利用モードに設定できるため、第２の検出手段が、退室の際に開閉扉を開操作した直後の未だ居室内の利用者を、利用者の存在状態として検知してしまう誤動作の虞を回避できる。
【００１４】
本発明の制御システムは、
前記第２の検知手段は、前記居室内における少なくとも主室と浴室とに設けられていることを特徴としている。
この特徴によれば、少なくとも主室と浴室とに設けられた第２の検知手段により、在室確認時間の間、居室内の主室若しくは浴室における利用者の存在若しくは不在状態を検知できる。
【図面の簡単な説明】
【００１５】
【図１】実施例１における制御システムを示す構成図である。
【図２】電源ユニットの配線の状況を示す概略図である。
【図３】利用客が入室する場合のタイミングチャートである。
【図４】清掃者が入室する場合のタイミングチャートである。
【図５】唯１人の利用客が退室する場合のタイミングチャートである。
【図６】２人のうち１人の利用客が退室する場合のタイミングチャートである。
【図７】利用モードにおける制御を示すフローチャートである。
【図８】非利用モードにおける制御を示すフローチャートである。
【図９】暫定利用モードにおける制御を示すフローチャートである。
【図１０】実施例２における制御システムを示す構成図である。
【発明を実施するための形態】
【００１６】
本発明に係る制御システムを実施するための形態を実施例に基づいて以下に説明する。
【実施例１】
【００１７】
実施例１に係る制御システムにつき、図１から図９を参照して説明する。
【００１８】
先ず、図１に、本発明の実施例１としてホテル等の室内用空調システムの全体構成が示される。本発明の居室であるホテルの客室１は、カードキーにて開錠可能な開閉扉５で入退室できる。客室１内は、デスク３とツインベッド４等が配設された主室１０と、浴室２とに主に区画され、浴室用照明６、ベッド用照明７、入口用照明８、主室用照明９及びテレビなどの負荷機器としての電気機器が、それぞれ電源ケーブルを介し電源ユニット１１に接続されている。また、主室１０の適所には、電源ユニット１１に接続されたコンセント４３が配設されている。
【００１９】
開閉扉５には、開閉扉５の動きすなわち開状態若しくは閉状態を検出する周知のマグネット式等の扉センサ４２が設けられており、この扉センサ４２は、信号ケーブルを介し電源ユニット１１に接続されている。すなわち扉センサ４２は、開閉扉５の動きを検知する本発明の第１の検知手段を構成している。
【００２０】
主室１０の略中央の天井面には、主室１０内における人の僅かな動作に依りその存在を検出する周知の赤外線式等の人感センサ４０が設けられ、また浴室２の天井面に同様の人感センサ４１が設けられており、これ等人感センサ４０，４１は、信号ケーブルを介し電源ユニット１１に接続されている。すなわちこれ等人感センサ４０，４１は、客室１内における利用者の存在若しくは不在状態を検知する本発明の第２の検知手段を構成している。
【００２１】
また、人感センサ４０，４１は、それぞれ主室１０内及び浴室２内の略全域を感知可能領域としているが、主室１０の人感センサ４０は、入口部１ａ周辺領域を感知できないものとする。
【００２２】
図１及び図２に示されるように、１２は、それぞれの客室１に個別に配設される負荷機器としてのいわゆるパッケージ型の室内空調機であって、客室１の室温を検知する図示しない室温センサと、利用客が所望する設定温度を設定入力可能な操作部としての室温操作パネル２２と、これらが接続される統制部と、を有し、後述する利用モードにおいて、利用客が所望する設定温度に対する前記した室温センサで検知された温度に基づいて作動し、適宜設定された風量・温度の空気を客室１内に送風するようになっている。室内空調機１２の内部構造について詳細に図示しないが、循環路を形成する流体管、この流体管の内部に熱交換流体を循環させるポンプ、送風用のファン等の各部品を有しており、これら各部品は統制部の制御に基づいて作動する。
【００２３】
また、室内空調機１２は、開閉扉５が開閉動作された後、すなわち客室１内に利用者が在室する状態にあって、後述のように客室１の利用者が設定した設定温度に基づいて室内空調機１２が作動される場合を利用モード若しくは暫定利用モードとしている。また、客室１から利用者が退室する状態にあって、利用者が不在の客室１を後述のように空調する場合を非利用モードとしている。
【００２４】
図２に示されるように、電源ユニット１１は、端子ｄ１〜ｄ１０、端子ｅ１〜ｅ７、端子ｆ１〜ｆ８、及び端子ｇ１〜ｇ２を備えるとともに、これら各端子が接続される本発明の処理装置としての制御部１３を有している。また制御部１３に、後述するタイマ２１、温度設定手段としてのスイッチ部２０が接続されるとともに、信号線を介して図示しない室温センサと連結され、また信号線を介して室内空調機１２と接続されている。
【００２５】
電源ユニット１１には、端子ｄ９〜ｄ１０を介して外部電源が入力されており、端子ｄ９は端子ｄ１，ｄ３，ｄ５そしてｄ７にそれぞれ直接に接続され、また端子ｄ１０は端子ｄ２，ｄ４，ｄ６そしてｄ８に、それぞれスイッチ１７ａ，１７ｂ，１７ｃそして１７ｄを介して接続されている。端子ｄ１，ｄ２には利用時には常時点灯の入口用照明８と主室用照明９が電源ケーブルを介して接続され、端子ｄ３，ｄ４にはコンセント４３が同様に接続され、端子ｄ５，ｄ６には操作スイッチ６ａを備えた浴室用照明６が接続され、端子ｄ７，ｄ８には、操作スイッチ７ａを備えたベッド用照明７が接続されている。各スイッチ１７ａ〜１７ｄは、それぞれ切替部１６ａ〜１６ｄを介して接続された制御部１３により、入り切り可能に成っている。
【００２６】
端子ｅ１〜ｅ３には、室内空調機１２用の外部電源が接続され、端子ｅ４〜ｅ７には、室内空調機１２への出力線が接続されている。
【００２７】
端子ｆ１，ｆ２には、扉センサ４２が接続されるとともに、電源ユニット１１内で制御部１３に接続されている。制御部１３は、開閉扉５の閉状態においてはｆ１とｆ２とにかけての回路が閉状態となり、または開閉扉５の開状態においては回路が開状態となることで、開閉扉５の開状態若しくは閉状態を検知する。
【００２８】
端子ｆ３〜ｆ５には、主室１０の人感センサ４０が接続されるとともに、電源ユニット１１内で制御部１３に接続されている。制御部１３は、人感センサ４０の感知状態においてはｆ３とｆ４とにかけての回路が閉状態となり、または人感センサ４０の不感状態においてはｆ３とｆ５とにかけての回路が閉状態となることで、主室１０における利用者の存在状態若しくは不在状態を検知する。
【００２９】
端子ｆ６〜ｆ８には、浴室２の人感センサ４１が接続されるとともに、電源ユニット１１内で制御部１３に接続されている。制御部１３は、人感センサ４１の感知状態においてはｆ６とｆ７とにかけての回路が閉状態となり、または人感センサ４１の不感状態においてはｆ６とｆ８とにかけての回路が閉状態となることで、浴室２における利用者の存在状態若しくは不在状態を検知する。
【００３０】
また、端子ｇ１，ｇ２には、通信線が接続可能になっており、この通信線を介し接続した例えばホテルのフロントや統制室等に、制御部１３によるモード設定状況を送信することができる。
【００３１】
上述した客室１内の負荷機器としての各照明６〜９及び室内空調機１２等は、制御部１３により、利用モード、暫定利用モード、若しくは非利用モードの何れかのモードに設定制御される。ここで利用モードとは、客室１内に利用者が存在する状態におけるモードであり、暫定利用モードとは、客室１内に利用者が存在するか若しくは不在の可能性のある状態におけるモードであり、そして非利用モードとは、客室１内に利用者が不在の状態におけるモードである。制御部１３は、扉センサ４２及び人感センサ４０，４１による検出に基づき、何れかのモードへの設定を行う。
【００３２】
図２に示されるように、各照明６〜９は、利用モード及び暫定利用モードにおいては、各スイッチ１７ａ，１７ｃ及び１７ｄが入り状態になることで外部電源が接続されることになり、入口用照明８及び主室用照明９は常時点灯し、浴室用照明６及びベッド用照明７は各々の操作スイッチ６ａ及び７ａによるオン/オフ操作に基づき点灯／消灯操作可能になっている。また各照明６〜９は、非利用モードにおいては、各スイッチ１７ａ，１７ｃ及び１７ｄが切り状態になることで外部電源の接続が遮断されることになり、全て消灯するようになっている。
【００３３】
同様に、コンセント４３は、利用モード及び暫定利用モードにおいては、スイッチ１７ｂが入り状態になることで外部電源が接続されることで、テレビなど電気負荷機器に電源供給する。また、コンセント４３は、非利用モードにおいては、スイッチ１７ｂが切り状態になることで外部電源の接続が遮断されることになり、電気負荷機器に電源供給されなくなる。
【００３４】
次に、室内空調機１２は、利用モード及び暫定利用モードにおいては、客室１の利用者が室温操作パネル２２を押圧操作することで、室温を任意に空調制御可能になっている。
【００３５】
室温操作パネル２２は、主室１０内の壁面等に、客室利用者により操作可能に配設されており、特に図示しないが、風量を設定可能に室内空調機１２を作動させるＯＮスイッチと、所望の室内温度を設定可能な温度設定スイッチと、設定温度を表示する設定温度表示部と、室内空調機１２の作動を停止するＯＦＦスイッチと、を備えている。更に、ＯＮスイッチは、ＬＯスイッチ、ＨＩスイッチ、ＡＵＴＯスイッチの３種のスイッチからなる。利用モード及び暫定利用モードにおいて、いずれかのスイッチを押圧すれば、押圧された所定の設定温度・風量で起動するようになっている。また、ＯＦＦスイッチを押圧すれば、室内空調機１２の作動は停止する。
【００３６】
室内空調機１２は、非利用モードにおいては、後述する条件に応じて、室内空調機１２に対しオン／オフ制御を自動で繰返し反復して行う。例えば、冷房季においては、予め設定した上限温度（例えば３０度若しくは２７度）よりも客室１内の温度を低く維持するように、前記した室温センサ等を用いて室内空調機１２を自動でオン／オフ制御するものである。冷房季における前記上限温度は、客室の利用状態において通常所望に設定される設定温度（本実施例では２４度）よりも高めで、且つ外気温よりも低めに設定されており、客室１の非利用状態においても、客室１の温度を一定程度低くして、入室の際の快適性を追求したものである。また、暖房季においては、予め設定した下限温度（例えば１７度若しくは２０度）よりも客室１内の温度を高く維持するように室内空調機１２を制御するものである。暖房季における前記下限温度は、客室の利用状態において通常所望に設定される設定温度よりも低めで、且つ外気温よりも高めに設定されており、客室１の非利用状態においても、客室１の温度を一定程度高くして、入室の際の快適性を追求したものである。
【００３７】
尚、室内空調機は、非利用モードにおいては、必ずしも前述したオン／オフ制御を繰返し反復して行うに限られず、例えば非利用モードでは、空調を常にオフに制御してもよい。
【００３８】
各モードの設定切替について、図３〜６のタイミングチャートを参照して詳述する。
【００３９】
先ず、非利用モードから利用モードへの設定切替について説明する。
【００４０】
図３に示されるように、利用客の客室への入室の場合について説明すると、ｔ０〜ｔ１まで非利用モードＬすなわち室内が不在の客室１に、ｔ１において利用者が入室する、すなわち開閉扉５を一時的に開状態にし再び閉状態することで、扉センサ４２が開閉扉５の開状態及び閉状態を検出し、開状態及び閉状態の検出信号が制御部１３に発信される。この開状態及び閉状態の検出信号を受信した制御部１３は、負荷機器である各照明６〜９及び室内空調機１２等を非利用モードＬから暫定利用モードＭに設定するとともに、タイマ２１による計時を開始する。
【００４１】
ここで暫定利用モードＭにおける計時について詳述すると、制御部１３は、暫定利用モードＭに設定した時ｔ１からタイマ２１で計時された所定の初期時間Ａ（本実施例では３分間）の経過時ｔ２までの間、人感センサ４０，４１からの検出信号を無視し、初期時間Ａの経過時ｔ２から、ｔ１からタイマ２１で計時された所定の在室確認時間Ｂ（本実施例では３０分間）の経過時ｔ３までの時間（本実施例では２７分間）に、人感センサ４０若しくは人感センサ４１による人の感知の有無を待機する。すなわち制御部１３は、ｔ２からｔ３までの時間に、人感センサ４０若しくは人感センサ４１による人の感知が少なくとも１回有る場合は、ｔ３以後を利用モードＮに設定するものであり、同じくｔ２からｔ３までの時間に、人感センサ４０，４１による人の感知が全く無い場合は、ｔ３以後を非利用モードＬに設定するものである（図５，６参照）。
【００４２】
尚、初期時間Ａ、及び在室確認時間Ｂは、必ずしもそれぞれ本実施例の３分間、及び３０分間に限られず、制御部１３に接続された図示しない設定部により、任意に設定変更できるものとする。例えば、初期時間Ａは、１〜７分間の範囲で１分単位で設定できるようにし、在室確認時間Ｂは、５〜７５分間までの範囲で５分単位で設定できるようにしてもよい。
【００４３】
開閉扉５を開状態から閉状態にして客室１に入室した利用者は、ｔ２からｔ３までの時間に、主室１０に設けられた人感センサ４０若しくは浴室２に設けられた人感センサ４１により感知されることになるため、図３に示されるように、ｔ３以後は利用モードＮに設定される。
【００４４】
次に、図４に示されるように、客室の清掃時の場合について説明すると、ｔ１０〜ｔ１１まで非利用モードＬすなわち室内が不在の客室１に、ｔ１１において清掃者が開閉扉５を開状態が継続する開放状態にすることで、扉センサ４２が開閉扉５の開状態を検出し、開状態の検出信号が制御部１３に発信される。この開状態の検出信号を受信した制御部１３は、負荷機器である各照明６〜９及び室内空調機１２等を非利用モードＬから暫定利用モードＭに設定する。
【００４５】
制御部１３は、暫定利用モードＭに設定した時ｔ１１の後、初期時間Ａの経過時ｔ１２までの間に、開閉扉５の開状態の検出信号のみを受信し、閉状態の検出信号を受信しなかった場合、初期時間Ａの経過時ｔ１２に、負荷機器である各照明６〜９及び室内空調機１２等を利用モードＮに設定する。
【００４６】
次に、利用モードから非利用モードへの設定切替について説明する。
【００４７】
図５に示されるように、唯１人の利用客の客室からの退室の場合について説明すると、ｔ２０〜ｔ２１まで利用モードＮすなわち室内が在室の客室１から、ｔ２１において唯１人の利用客が退室する、すなわち開閉扉５を一時的に開状態にし再び閉状態することで、扉センサ４２が開閉扉５の開状態及び閉状態を検出し、開状態及び閉状態の検出信号が制御部１３に発信される。この開状態及び閉状態の検出信号を受信した制御部１３は、負荷機器である各照明６〜９及び室内空調機１２等を利用モードＮから暫定利用モードＭに設定するとともに、タイマ２１による計時を開始する。
【００４８】
上述と同様に、制御部１３は、暫定利用モードＭに設定した時ｔ２１からタイマ２１で計時された所定の初期時間Ａの経過時ｔ２２までの間、人感センサ４０，４１からの検出信号を無視し、初期時間Ａの経過時ｔ２２から在室確認時間Ｂの経過時ｔ３３までの時間に、人感センサ４０若しくは人感センサ４１による人の感知の有無を待機する。
【００４９】
開閉扉５を開状態から閉状態にして唯１人の利用客が退室した客室１は、ｔ２２からｔ２３までの時間に、人感センサ４０若しくは人感センサ４１により感知されることが無いため、図５に示されるように、ｔ２３以後は非利用モードＬに設定される。
【００５０】
次に、図６に示されるように、複数人（本実施例では２人）の利用客の客室１からの退室の場合について説明すると、ｔ３０〜ｔ３１まで利用モードＮすなわち室内が２人の利用客で在室の客室１から、ｔ３１において第１の利用者が退室する、すなわち開閉扉５を一時的に開状態にし再び閉状態することで、扉センサ４２が開閉扉５の開状態及び閉状態を検出し、開状態及び閉状態の検出信号が制御部１３に発信される。この開状態及び閉状態の検出信号を受信した制御部１３は、負荷機器である各照明６〜９及び室内空調機１２等を利用モードＮから暫定利用モードＭに設定するとともに、タイマ２１による計時を開始する。
【００５１】
上述と同様に、制御部１３は、初期時間Ａの経過時ｔ３２から在室確認時間Ｂの経過時ｔ３３までの時間に、人感センサ４０若しくは人感センサ４１による人の感知の有無を待機する。
【００５２】
本実施例では、客室１内に残る第２の利用客が、ｔ３２からｔ３３までの時間に、例えば主室１０のツインベッド４上で動かずに就寝しており、主室１０に設けられた人感センサ４０が第２の利用客を感知しなかった場合、ｔ３３以後は非利用モードＬに設定される。
【００５３】
そして非利用モードＬに設定された時ｔ３３以後、この第２の利用客が、ツインベッド４から起き出し、主室１０に設けられた人感センサ４０が第２の利用客を感知したときに、再び利用モードＮに設定される。
【００５４】
詳述すると、人感センサ４０が第２の利用客を感知した時点ｔ３４から、ノイズの有無を検出するための所定のノイズ検出時間（本実施例では０．１秒間）を経過した時ｔ３５において、利用モードＮに設定される。
【００５５】
尚、客室１内に残る第２の利用客が、仮にｔ３２からｔ３３までの時間に、人感センサ４０若しくは人感センサ４１により感知された場合、ｔ３３以後から再び利用モードＮに設定されることになる。
【００５６】
次に、制御部１３が行う各モードへの設定について、図７〜９を参照して、フローチャートにより具体的に説明する。
【００５７】
先ず、図７に示されるように、利用モードＮに設定されている場合、制御部１３は、ステップＳａ１において、扉センサ４２により開閉扉５が開状態に成るか否かを常時監視する。制御部１３は、開閉扉５の開状態が検知された場合は、ステップＳａ２に進み、暫定利用モードＭに設定する。
【００５８】
次に、図８に示されるように、非利用モードＬに設定されている場合、制御部１３は、ステップＳｂ１において、開閉扉５が開状態に成るか否かを監視する。制御部１３は、開閉扉５の開状態が検知された場合は、ステップＳｂ２に進み、暫定利用モードＭに設定する。制御部１３は、ステップＳｂ１において開閉扉５の開状態が検知されない場合は、ステップＳｂ３に進み、人感センサ４０，４１により客室１内に利用者が存在するか不在かを監視する。制御部１３は、ステップＳｂ３において客室１内の利用者の存在が感知された場合は、ステップＳｂ４に進み、利用モードＮに設定する。一方、ステップＳｂ３において客室１内の利用者の存在が感知されない場合は、ステップＳｂ１に進む。
【００５９】
すなわち、制御部１３は、非利用モードＬに設定されている場合、ステップＳｂ１及びステップＳｂ３において、開閉扉５が開状態に成るか否かと、客室１内に利用者が存在するか不在かとを常時監視する。
【００６０】
次に、図９に示されるように、暫定利用モードＭに設定されている場合、制御部１３は、ステップＳｃ１において、開閉扉５が閉状態に成るか否かを監視する。
【００６１】
制御部１３は、開閉扉５の閉状態が検知されない場合は、ステップＳｃ２に進み、初期時間Ａの経過まで、開閉扉５の閉状態を監視する（ステップＳｃ１）。開閉扉５の閉状態が検知されずに、初期時間Ａが経過した場合、ステップＳｃ３に進み、利用モードＮに設定する。
【００６２】
また制御部１３は、ステップＳｃ１において、開閉扉５の閉状態が検知された場合は、ステップＳｃ４に進み、初期時間Ａの経過を待ち、初期時間Ａの経過後、ステップＳｃ５に進む。制御部１３は、ステップＳｃ５において、人感センサ４０，４１により客室１内に利用者が存在するか不在かを監視する。
【００６３】
制御部１３は、ステップＳｃ５において、客室１内の利用者の存在が感知されない場合は、ステップＳｃ６に進み、在室確認時間Ｂの経過まで、客室１内の利用者の存在を監視する（ステップＳｃ５）。客室１内の利用者の存在が感知されずに、在室確認時間Ｂが経過した場合、ステップＳｃ７に進み、非利用モードＬに設定する。
【００６４】
また制御部１３は、ステップＳｃ５において、客室１内の利用者の存在が感知された場合は、ステップＳｃ８に進み、在室確認時間Ｂの経過を待ち、在室確認時間Ｂの経過後、ステップＳｃ９に進み、利用モードＮに設定する。
【００６５】
以上説明したように、本実施例１の係る制御システムに依れば、処理装置としての制御部１３が、入室時の開閉扉５の動きを検知した第1の検知手段である扉センサ４２の検知信号に基づき、負荷機器である各照明６〜９及び室内空調機１２等を暫定利用モードＭに設定するため、開閉扉５を通過し入室する利用者に対し各照明６〜９及び室内空調機１２等により快適さを与えることができるばかりか、開閉扉５の動きの後において、第２の検知手段である人感センサ４０，４１の検知信号に基づき、客室１内に利用者が存在する場合は各照明６〜９及び室内空調機１２等を利用モードＮに設定し、若しくは不在の場合は非利用モードＬに設定するため、扉キーによる施解錠等の別段の動作に基づくモード設定を不要にできる。
【００６６】
また、処理装置としての制御部１３が、客室１への入退室時に必然的に生じる開閉扉５の開状態を検知信号として受信したとき、負荷機器である各照明６〜９及び室内空調機１２等を暫定利用モードＭに設定するため、暫定利用モードＭ設定の確実性を高めることができる。
【００６７】
また、処理装置としての制御部１３が、開閉扉５が継続して開状態であることを条件に、利用モードＮに設定するため、開閉扉５を開状態にした状態のまま客室１を利用する場合にも利用者に快適さを与えることができる。
【００６８】
更に、処理装置としての制御部１３が、暫定利用モードＭにおいて初期時間Ａの経過までの間、検知信号を無視し、初期時間Ａの経過後から在室確認時間Ｂの経過まで客室１内が不在状態であることを更に条件として、負荷機器である各照明６〜９及び室内空調機１２等を非利用モードＬに設定できるため、第２の検出手段である人感センサ４０，４１が、退室の際に開閉扉５を開操作した直後の未だ居室内の利用者を、利用者の存在状態として検知してしまう誤動作の虞を回避できる。
【００６９】
また、主室１０と浴室２とに設けられた第２の検知手段である人感センサ４０，４１により、在室確認時間Ｂの間、客室１内における主室１０若しくは浴室２における利用者の存在若しくは不在状態を検知できる。
【００７０】
また、第２の検出手段である人感センサ４０，４１が、退室の際に開閉扉５を開操作した直後の未だ客室１内の利用者を、利用者の存在状態として検知してしまう誤動作の虞を回避できる。
【実施例２】
【００７１】
次に、実施例２に係る制御システムにつき、図１０を参照して説明する。尚、前記実施例１と同一構成で重複する説明を省略する。
【００７２】
実施例２における客室１には、この客室１の外部であって開閉扉５近傍の天井面に、客室１の外部における開閉扉５近傍の人の僅かな動作に依りその存在を検出する周知の赤外線式等の人感センサ５２が設けられており、この人感センサ５２は、信号ケーブルを介し電源ユニット１１に接続されている。すなわち人感センサ５２は、客室１の外部における開閉扉５近傍の利用者の存在若しくは不在状態を検知する本発明の第１の検知手段を構成している。
【００７３】
利用客の客室１への入室の場合について説明すると、室内が不在の客室１に、利用者が入室する、すなわち開閉扉５を開くため客室１外の開閉扉５近傍に位置することで、扉センサ５２が開閉扉５近傍の利用者の存在状態を検出し、利用者の存在状態の検出信号が制御部１３に発信される。この開状態及び閉状態の検出信号を受信した制御部１３は、負荷機器である各照明６〜９及び室内空調機１２等を非利用モードから暫定利用モードに設定するとともに、タイマ２１による計時を開始する。
【００７４】
このように、第１の検知手段としての人感センサ５２が、客室１外部の開閉扉５近傍の利用者の存在状態を検知するため、利用者が直後に開閉扉５を開き客室１内に入室する際には、負荷機器である各照明６〜９及び室内空調機１２等が暫定利用モードとして動作している状態に成っている。
【００７５】
処理装置としての制御部１３が、入室時の客室１外における開閉扉５近傍の利用者の存在を検知した第1の検知手段である人感センサ５２の検知信号に基づき、負荷機器である各照明６〜９及び室内空調機１２等を暫定利用モードＭに設定するため、開閉扉５を通過し入室する利用者に対し各照明６〜９及び室内空調機１２等により快適さを与えることができるばかりか、客室１外における開閉扉５近傍の利用者の存在を検知した後において、人感センサ５２の検知信号に基づき、客室１内に利用者が存在する場合は各照明６〜９及び室内空調機１２等を利用モードＮに設定し、若しくは不在の場合は非利用モードＬに設定するため、扉キーによる施解錠等の別段の動作に基づくモード設定を不要にできる。
【００７６】
上述した実施例１と同様に、処理装置としての制御部１３が、暫定利用モードＭにおいて初期時間Ａの経過までの間、検知信号を無視し、経過後から在室確認時間Ｂの経過まで客室１内が不在状態であることを更に条件として、負荷機器である各照明６〜９及び室内空調機１２等を非利用モードＬに設定できるため、第２の検出手段である人感センサ４０，４１が、退室の際に開閉扉５を開操作した直後の未だ客室１内の利用者を、利用者の存在状態として検知してしまう誤動作の虞を回避できる。
【００７７】
また、主室１０と浴室２とに設けられた第２の検知手段である人感センサ４０，４１により、在室確認時間Ｂの間、客室１内の主室１０若しくは浴室２における利用者の存在若しくは不在状態を検知できる。
【００７８】
以上、本発明の実施例を図面により説明してきたが、具体的な構成はこれら実施例に限られるものではなく、本発明の要旨を逸脱しない範囲における変更や追加があっても本発明に含まれる。
【００７９】
例えば、前記実施例では、第２の検知手段が客室１における主室１０と浴室２とに設けられていたが、第２の検知手段の設けられる箇所は、居室内の所定箇所であれば、居室を区画する全ての室であってもよいし、居室を区画する室のうち適宜選定した１箇所若しくは複数箇所でもよい。また、１つの室に複数個の第２の検知手段が設けられていても構わない。
【００８０】
また、前記実施例では、第２の検知手段として周知の赤外線式等の人感センサ４０，４１が設けられているが、例えば第２の検知手段として、居室内の隣接する室間に設けられた室内扉に、この室内扉の開状態若しくは閉状態を検知する扉センサが設けられていてもよい。
【００８１】
また、前記実施例では、負荷機器として各照明６〜９及び室内空調機１２等が、各モードに基づき制御されているが、例えば負荷機器として、照明装置のみ若しくは室内空調機のみであってもよいし、あるいは居室内の複数の照明装置のうち入口部の照明装置のみであってもよい。
【符号の説明】
【００８２】
１                客室（居室）
２                浴室
５                開閉扉
６〜９            各照明（負荷機器）
１０              主室
１１              電源ユニット
１２              室内空調機
１３              制御部（処理装置）
２１              タイマ
４０              人感センサ（第２の検知手段）
４１              人感センサ（第２の検知手段）
４２              扉センサ（第１の検知手段）
５２              人感センサ（第１の検知手段）
【図１】
2011109782.tif 000003
【図２】
2011109782.tif 000004
【図３】
2011109782.tif 000005
【図４】
2011109782.tif 000006
【図５】
2011109782.tif 000007
【図６】
2011109782.tif 000008
【図７】
2011109782.tif 000009
【図８】
2011109782.tif 000010
【図９】
2011109782.tif 000011
【図１０】
2011109782.tif 000012